(57)【要約】      （修正有）【課題】上部熱源体から焼き板に伝達される熱量を調節すること、及び、焼き板に載せられた食物が焦げる現象を防止できるロースターの焼き板組立体を提供する。【解決手段】焼き板２が上部に配設される下部ベース部１と、下部ベース部と焼き板との間に設けられ、下部ベース部の上部に配設されて焼き板を前後方向に移動させる金属板３と、金属板の略中央部に設けられ、焼き板の下面の略中央部を支持する金属受け台４と、を含む。焼き板は、略中央部が下方に向かってへこんだ凹形状を有し、略中央部には下方に向かって突出する中空固定突出部５が設けられ、中空固定突出部は金属受け台に挿入され、金属受け台は金属板よりも高い位置に設置される。また金属板の表面には、略中央部を通り、焼き板を移動させるための一方向に延伸する凹溝が設けられる。【選択図】図１
0003185560.tif 000002
【実用新案登録請求の範囲】
【請求項１】
焼き板２を有する焼き板組立体２００と、前記焼き板組立体２００の上部に離隔して設置される上部熱源体１００と、前記焼き板組立体２００の側部に結合されて上下方向に延伸する受け台３００であって、上方に延伸する端部が前記上部熱源体１００から延伸する支持台の端部に結合されることによって前記上部熱源体１００が前記焼き板組立体２００の上部に離隔して設置されるように前記上部熱源体１００を支持する受け台３００と、を含んで構成されるロースター１０００に備えられる前記焼き板組立体２００であって、
前記焼き板２が上部に配設される下部ベース部１と、
前記下部ベース部１と前記焼き板２との間に設けられ、前記下部ベース部１の上部に配設されて前記焼き板２を前後方向に移動させる金属板３と、
前記金属板３の略中央部に設けられ、前記焼き板２の下面の略中央部を支持する金属受け台４と、を含むことを特徴とする、ロースターの焼き板組立体。
【請求項２】
前記焼き板２は、略中央部が下方に向かってへこんだ凹形状を有し、前記焼き板２の下面の略中央部には下方に向かって突出する中空固定突出部５が設けられ、当該中空固定突出部５は前記金属受け台４に挿入され、前記金属受け台４は前記金属板３よりも高い位置に設置されることを特徴とする、請求項１に記載のロースターの焼き板組立体。
【請求項３】
前記金属受け台４と前記中空固定突出部５とが前記下部ベース部１と組み立てられた状態において、前記焼き板２の表面上の液体は、当該表面の傾斜によって作用される力によって、前記焼き板２の略中央部まで移動し、当該略中央部に設けられる油排出口６を介して前記下部ベース部１の下部に設けられる最終油受け７に排出されることを特徴とする、請求項２に記載のロースターの焼き板組立体。
【請求項４】
前記焼き板２の表面には、凹形状を有する複数の傾斜膜油排出路線８が、前記焼き板２の略中央部に設けられ油が排出される油排出口６を中心として放射状に配置され、
前記焼き板２の略中央部には前記油排出口に対応する排出口蓋９が設けられることを特徴とする、請求項１〜３のいずれか１項に記載のロースターの焼き板組立体。
【請求項５】
前記焼き板２の表面には、凸形状を有する複数の傾斜膜油排出路線１０が設けられることを特徴とする、請求項４に記載のロースターの焼き板組立体。
【請求項６】
前記焼き板２の表面は、凸形状の前記傾斜膜油排出路線１０と凹形状の前記傾斜膜油排出路線８との間に設けられ、前記焼き板２の円周方向に均一に配置される複数の円弧型傾斜板によって構成されることを特徴とする、請求項５に記載のロースターの焼き板組立体。
【請求項７】
前記金属板３は、前記焼き板２を移動させる移動用金属板であり、前記焼き板２と前記下部ベース部１との間に設けられ、
前記金属板３の表面には、前記金属板３の略中央部を通る溝であって、前記焼き板２を移動させるための溝である一方向に延伸する凹溝１４が設けられ、
前記金属受け台４の外周には、前記金属受け台４の外周に沿って環状に突出する突出部である凸状上下環状部１５、１６が、前記金属受け台４の上下方向に、互いに所定の距離だけ離隔されてそれぞれ形成されることを特徴とする、請求項１〜６のいずれか１項に記載のロースターの焼き板組立体。
【請求項８】
前記金属板３の略中央部を通る溝であって前記焼き板２を移動させるための溝である前記凹溝１４の一側には、組立及び分解可能な組立板１１が設けられることを特徴とする、請求項７に記載のロースターの焼き板組立体。
【請求項９】
前記金属受け台４は円柱形状を有し、前記金属受け台４の内壁には互いに同一の厚さを有する縦方向の突出部である凸状突出台１２が複数設けられ、
前記中空固定突出部５は円形の断面を有する円柱形状を有することを特徴とする、請求項２に記載のロースターの焼き板組立体。
【請求項１０】
前記焼き板２の外枠周縁部には、前記焼き板２の回転移動を容易にする複数の金属片１３が設けられることを特徴とする、請求項１〜９のいずれか１項に記載のロースターの焼き板組立体。
【考案の詳細な説明】
【技術分野】
【０００１】
本考案は、ロースターの焼き板組立体に関し、より詳細には焼き板の上部に設置される上部熱源体から焼き板に伝達される熱量が焼き板の下部に伝達されにくい構造を有し、また、焼き板の前後方向への移動及び回転移動が可能であり、当該上部熱源体から焼き板に伝達される熱量を調節することができ、焼き板に載せられた食物が焦げる現象を防止することができる、ロースターの焼き板組立体に関するものである。
【背景技術】
【０００２】
一般に、熱が伝達されるメカニズムは、伝導（Ｃｏｎｄｕｃｔｉｏｎ）と対流（Ｃｏｎｖｅｃｔｉｏｎ）と輻射（Ｒａｄｉａｔｉｏｎ）とに大別され、伝導熱は主に固体によって伝達され、対流熱は主に流体によって伝達される。そして、輻射熱はある発熱体の表面から電磁波の形態でエネルギーが放出される過程によって熱が伝達されるものであり、媒質がない状態でも熱が光の速度で放出されて対象物まで直接伝達される。このような輻射熱の波長帯域は、赤外線帯域から可視光帯域を経て波長がより短い紫外線帯域にまで及ぶ。しかし、可視光帯域や紫外線帯域に属する電磁波による輻射熱に比べて、遠赤外線、近赤外線及び中赤外線のような赤外線帯域に属する電磁波による輻射熱の方がより強い熱作用を有することが知られている。
【０００３】
既存の焼き物機（ロースター）の熱源体は、焼き板の下部に位置していることが多いため、油のような液体や異物を排出する排出口を焼き板の中央に設けることが困難であり、人体に悪影響を与えかねない油等の異物が食物に混ざって調理されてしまう恐れがあるという問題点があった。また、調理時及び調理後に油等の異物を即座に排出できないことは、調理の効率に影響を及ぼすとともに、同じ油が繰り返し使用されることとなるため、調理された食物が食後に人体に害を及ぼす可能性もある。
【０００４】
このような問題点を解消するために、既存の焼き板においては、中央が盛り上がった凸構造を有し、肉が焼かれる間に発生する油が焼き板の縁（端）に集まるようにして、端の一部に孔を開けて当該孔を介して油受けに油が排出されるようにしたり、紙や布切れのような油吸収材によって端に集まった油を除去したりする構成が提案されている。しかしながら、このような中央が凸状になっている既存の焼き板は、油のような異物を排出することは容易になるが、焼き板の前後方向への移動及び回転移動をさせにくい構造であるため、焼き板に伝達される熱量を調節することが難しく、食物が焦げる現象を防止することは困難であった。
【０００５】
一方、熱源体が焼き板の上部に配設され、当該熱源体からの輻射熱によって焼き板に載せられた食物が調理される場合には、焼き板が載置される下部ベース部に熱が伝達されにくく、ユーザーが火傷を負いにくい構造が求められる。
【考案の概要】
【考案が解決しようとする課題】
【０００６】
本考案が解決しようとする課題は、焼き板の上部に設置される上部熱源体から焼き板に伝達される熱量が焼き板の下部に伝達されにくい構造を有することにより、ユーザーが火傷を負うことを防止することができるロースターの焼き板組立体を提供することである。
【０００７】
本考案が解決しようとする他の課題は、焼き板の前後方向への移動及び回転移動を可能とすることにより、上部熱源体から焼き板に伝達される熱量を調節することができ、焼き板に載せられた食物が焦げる現象を防止することができるロースターの焼き板組立体を提供することである。
【課題を解決するための手段】
【０００８】
本考案の課題解決手段は、焼き板２を有する焼き板組立体２００と、前記焼き板組立体２００の上部に離隔して設置される上部熱源体１００と、前記焼き板組立体２００の側部に結合されて上下方向に延伸する受け台３００であって、上方に延伸する端部が前記上部熱源体１００から延伸する支持台の端部に結合されることによって前記上部熱源体１００が前記焼き板組立体２００の上部に離隔して設置されるように前記上部熱源体１００を支持する受け台３００と、を含んで構成されるロースター１０００に備えられる前記焼き板組立体２００であって、前記焼き板２が上部に配設される下部ベース部１と、前記下部ベース部１と前記焼き板２との間に設けられ、前記下部ベース部１の上部に配設されて前記焼き板２を前後方向に移動させる金属板３と、前記金属板３の略中央部に設けられ、前記焼き板２の下面の略中央部を支持する金属受け台４と、を含むことを特徴とする、ロースターの焼き板組立体を提供する。
【０００９】
また、好ましくは、前記焼き板２は、略中央部が下方に向かってへこんだ凹形状を有し、前記焼き板２の下面の略中央部には下方に向かって突出する中空固定突出部５が設けられ、当該中空固定突出部５は前記金属受け台４に挿入され、前記金属受け台４は前記金属板３よりも高い位置に設置されることを特徴とする。
【００１０】
また、好ましくは、前記金属受け台４と前記中空固定突出部５とが前記下部ベース部１と組み立てられた状態において、前記焼き板２の表面上の液体は、当該表面の傾斜によって作用される力によって、前記焼き板２の略中央部まで移動し、当該略中央部に設けられる油排出口６を介して前記下部ベース部１の下部に設けられる最終油受け７に排出されることを特徴とする。
【００１１】
また、好ましくは、前記焼き板２の表面には、凹形状を有する複数の傾斜膜油排出路線８が、前記焼き板２の略中央部に設けられ油が排出される油排出口６を中心として放射状に配置され、前記焼き板２の略中央部には前記油排出口に対応する排出口蓋９が設けられることを特徴とする。
【００１２】
また、好ましくは、前記焼き板２の表面には、凸形状を有する複数の傾斜膜油排出路線１０が設けられることを特徴とする。
【００１３】
また、好ましくは、前記焼き板２の表面は、凸形状の前記傾斜膜油排出路線１０と凹形状の前記傾斜膜油排出路線８との間に設けられ、前記焼き板２の円周方向に均一に配置される（Ｕｎｉｆｏｒｍｌｙ  ｄｉｓｔｒｉｂｕｔｅｄ  ｉｎ  ａ  ｃｉｒｃｕｍｆｅｒｅｎｔｉａｌ  ｄｉｒｅｃｔｉｏｎ）複数の円弧型傾斜板によって構成されることを特徴とする。
【００１４】
また、好ましくは、前記金属板３は、前記焼き板２を移動させる移動用金属板であり、前記焼き板２と前記下部ベース部１との間に設けられ、前記金属板３の表面には、前記金属板３の略中央部を通る溝であって、前記焼き板２を移動させるための溝である一方向に延伸する凹溝１４が設けられ、前記金属受け台４の外周には、前記金属受け台４の外周に沿って環状に突出する突出部である凸状上下環状部１５、１６が、前記金属受け台４の上下方向に、互いに所定の距離だけ離隔されてそれぞれ形成されることを特徴とする。
【００１５】
また、好ましくは、前記金属板３の略中央部を通る溝であって前記焼き板２を移動させるための溝である前記凹溝１４の一側には、組立及び分解可能な組立板１１が設けられることを特徴とする。
【００１６】
また、好ましくは、前記金属受け台４は円柱形状を有し、前記金属受け台４の内壁には互いに同一の厚さを有する縦方向の突出部である凸状突出台１２が複数設けられ、前記中空固定突出部５は円形の断面を有する円柱形状を有することを特徴とする。
【００１７】
また、好ましくは、前記焼き板２の外枠周縁部には、前記焼き板２の回転移動を容易にする複数の金属片１３が設けられることを特徴とする。
【考案の効果】
【００１８】
本考案に係るロースターの焼き板組立体によれば、焼き板の上部に設置される上部熱源体から焼き板に伝達される熱量が焼き板の下部に伝達されにくい構造を有することにより、ユーザーが火傷を負うことを防止することができる。また、焼き板の前後方向への移動及び回転移動を可能とすることにより、上部熱源体から焼き板に伝達される熱量を調節することができ、焼き板に載せられた食物が焦げる現象を防止することができる。
【図面の簡単な説明】
【００１９】
【図１】本考案の一実施形態に係るロースターの焼き板組立体の分解斜視図である。
【図２】本考案の一実施形態に係る焼き板の下部に位置する構成の分解斜視図である。
【図３】本考案の一実施形態に係る焼き板の構造を示す平面図である。
【図４】図３に示す焼き板の側面図である。
【図５】本考案の一実施形態に係る金属受け台の構造を示す側面図である。
【図６】図５に示す金属受け台の平面図である。
【図７】本考案の一実施形態に係るロースターの焼き板組立体が適用されるロースターの構造を概略的に示す側断面図である。
【考案を実施するための形態】
【００２０】
以下、本考案の好ましい一実施形態に係るロースターの焼き板組立体の構成及び動作について添付図面を参照してより詳細に説明する。
【００２１】
図７は、本考案の一実施形態に係るロースターの焼き板組立体が適用されるロースターの構造を概略的に示す側断面図である。
【００２２】
図７を参照すると、本考案の一実施形態に係る焼き板組立体２００が適用されるロースター１０００は、焼き板２を有する焼き板組立体２００と、前記焼き板組立体２００の上部に離隔して設置される上部熱源体１００と、前記焼き板組立体２００の側部に結合されて上下方向に延伸される受け台３００であって、上方に延伸された端部が前記上部熱源体１００から延伸される支持台の端部に結合されることによって前記上部熱源体１００が前記焼き板組立体２００の上部に離隔して設置されるように前記上部熱源体１００を支持する受け台３００と、を含んで構成される。
【００２３】
図１は、本考案の一実施形態に係るロースターの焼き板組立体の分解斜視図である。また、図２は、本考案の一実施形態に係るロースターの焼き板の下部に位置する構成の分解斜視図である。
【００２４】
図１及び図２を参照すると、本考案の一実施形態に係るロースターの焼き板組立体２００は、前記焼き板２が上部に配設される下部ベース部１と、前記下部ベース部１と前記焼き板２との間に設けられ前記下部ベース部１の上部に配設されて焼き板２を前後方向に移動させる金属板３と、金属板３の略中央部に設けられ焼き板２の下面の略中央部を支持する金属受け台４と、を含む。
【００２５】
焼き板２は、略中央部が下方に向かってへこんだ凹形状を有し、焼き板２の下面の略中央部には下方に向かって突出する中空固定突出部５が設けられる。中空固定突出部５が金属受け台４に挿入されることにより焼き板２と金属板３とが接続される。金属受け台４は金属板３よりも高い位置に設置される。
【００２６】
焼き板２の略中央部には油排出口（図３に符号６で示す。）が設けられる。金属受け台４と中空固定突出部５とが下部ベース部１と組み立てられた状態において、焼き板２の表面（上面）に存在する油等の液体は、当該焼き板２の表面の傾斜によって作用される力によって焼き板２の略中央部まで移動し、焼き板２の略中央部に設けられる油排出口６を介して、下部ベース１の更に下部に設けられる最終油受け７に排出される。
【００２７】
図３は、本考案の一実施形態に係る焼き板の構造を示す平面図である。また、図４は、図３に示す焼き板の側面図である。
【００２８】
図３及び図４を参照すると、焼き板２の表面（上面）には凹形状を有する溝である複数の傾斜膜油排出路線８が、焼き板２の略中央部に設けられ油が排出される油排出口６を中心として放射状に配置される。また、焼き板２の表面には凸形状を有する複数の傾斜膜油排出路線１０が、同様に放射状に設けられる。また、図１に示すように、前記焼き板２の略中央部には油排出口６に対応する排出口蓋９が設けられる。
【００２９】
また、焼き板２の表面は、凸形状の傾斜膜油排出路線１０と凹形状の傾斜膜油排出路線８との間に設けられ、前記焼き板２の円周方向に均一に配置される（Ｕｎｉｆｏｒｍｌｙ  ｄｉｓｔｒｉｂｕｔｅｄ  ｉｎ  ａ  ｃｉｒｃｕｍｆｅｒｅｎｔｉａｌ  ｄｉｒｅｃｔｉｏｎ）複数の円弧型傾斜板によって構成される。
【００３０】
図５は、本考案の一実施形態に係る金属受け台の構造を示す側面図である。図６は、図５に示す金属受け台の平面図である。
【００３１】
図２、図５及び図６を参照すると、金属板３は、焼き板２を移動させる移動用金属板であり、焼き板２と下部ベース部１との間に設けられる。金属板３の表面には、金属板３の略中央を通り一方向（例えば前後方向）に延伸する溝であって焼き板２の移動用の溝である凹溝１４が設けられる。例えば、金属受け台４が当該凹溝１４に係合され、凹溝１４の溝方向に摺動されることにより焼き板２が前後方向に移動する。また、図５に示すように、金属受け台４の外周には、金属受け台４の外周に沿って環状に突出する突出部である凸状上部環状部１５及び凸状下部環状部１６が、金属受け台４の上下方向に、互いに所定の距離だけ離隔されてそれぞれ形成される。なお、以下の説明では、凸状上部環状部１５及び凸状下部環状部１６を総称して凸状上下環状部１５、１６とも呼称する。
【００３２】
また、金属板３の略中央を通る溝であって焼き板２を移動させる移動用の溝である細長い凹溝１４の一側には、組立及び分解可能な焼き板２の移動用の組立板１１が設けられる。
【００３３】
また、図６に示すように、金属受け台４は略円柱形状を有し、その内壁には互いに略同一の厚さを有する縦方向に突出する凸状突出台１２が複数設けられる。中空固定突出部５は原形、すなわち断面が円形である円柱形状を有する。
【００３４】
一方、図３に示すように、焼き板２の外周（外枠縁部）には、焼き板２を回転させやすくするための複数の焼き板２の回転用の金属片１３が設けられる。当該複数の金属片１３が設けられることにより、焼き板２の回転移動を容易に行うことが可能となる。
【００３５】
以上説明したような構成を有する本考案の一実施形態に係るロースターの焼き板組立体の動作について、下記でより詳細に説明する。
【００３６】
本考案の一実施形態に係るロースターの焼き板組立体２００は、上部熱源体から供給される熱が焼き板２を介して下部ベース部１に伝達されにくくするために、下部ベース部１は、例えば耐熱性プラスチック材料によって構成される。
【００３７】
また、本考案の一実施形態に係る焼き板組立体２００の略中間位置には金属板３が設けられる。そして、金属板３の上部に金属受け台４が設けられ、焼き板２は金属受け台４によって支持される。また、金属受け台４は、耐熱性が比較的高く変形し難い特性を有する材料によって形成される。金属板３の周囲には、上述したように耐熱性プラスチック材料によって構成される下部ベース部１が備えられるため、焼き板２に生じた熱が金属板３まで伝達されても、下部ベース部１が断熱の役割を果たし、ユーザーが火傷を負うことを防止することができる。
【００３８】
焼き板２の下面の略中央部には中空の固定突出部５が設けられ、当該固定突出部５が金属受け台４内に挿入されることによって、焼き板２が金属板３上に設置される。このように、金属受け台４は、金属板３よりも高い位置に配置され、焼き板２は、金属受け台４に挿入される固定突出部５を介して金属受け台４上に支持されることにより設置される。このような組み立て方式においては、焼き板２と金属板３との間に間隔が設けられるため、当該間隔によって、焼き板２の熱が過度に金属板３に伝達されることが防止される。
【００３９】
図７に示すように、本考案の一実施形態に係る焼き板組立体２００が適用されるロースター１０００においては、上部熱源体１００が焼き板組立体２００の上部に例えば所定の距離だけ離隔して配設され、焼き板２の下部から油排出口６を介して油及び異物が排出されることによって、調理されている食物に不必要な油等の液体が焼き板２上に溜まることが防止される。従って、食物の味が維持され、また変質した食物を食べることが抑制されることとなり、人体の健康が保護される。
【００４０】
また、本考案の一実施形態に係る焼き板２は、図３に示すように、焼き板２の周囲縁部に複数の焼き板２の回転用の金属片１３が設けられる。当該複数の金属片１３は、ユーザーの箸やトング等による焼き板２の回転移動を容易にする機能を有するため、調理された食物を食べる際のユーザーの利便性がより一層向上される。また、焼き板２の略中央部に設けられる油排出口６を覆うことができる排出口蓋９については、油等の液体を排出する場合には当該排出口蓋９を開き、その他の場合には当該排出口蓋９で油排出口６を覆った状態にして食物の調理または保存をすることができる。このように、油等の異物を排出する場合には排出口蓋９を開き、当該異物を排出後または調理完了後には排出口蓋９が油排出口６を覆うようにすることができる。ここで、排出口蓋９が開閉可能である構造においては、例えば排出口蓋９が開けられた状態で調理を行うと食物が油排出口６から排出されてしまう懸念がある。従って、本実施形態に係る焼き板組立体２００は、排出口蓋９と油排出口６との間に所定のギャップ（間隔）が設けられ、油排出口６の当該間隔以外の領域が常に排出口蓋９に覆われた構成を有してもよい。このように、排出口蓋９を開閉する手間が削減されるように、油排出口６が排出口蓋９によって常に覆われた状態を保ちながら油等の異物が排出可能であるように、油排出口６及び排出口蓋９が設計してもよい。
【００４１】
また、本考案の一実施形態に係る焼き板２の表面（上面）には凹形状を有する溝であって複数の傾斜膜油排出路線８が、焼き板２の略中央部に設けられ油が排出される油排出口６を中心として放射状に配置される。また、前記焼き板２の表面には凸形状を有する複数の傾斜膜油排出路線１０が同様に放射状に設けられる。そして、焼き板２の略中央部に設けられる油排出口６を介して油等の液体が排出される。また、当該複数の凹形状の傾斜膜油排出路線８及び当該複数の凸形状の傾斜膜油排出路線１０によって、焼き板２の表面に凹凸形状が形成されることとなる。食物を焼く際に、当該食物が凹凸形状を有する焼き板２の表面に置かれることにより、食物と焼き板２の表面との接触面積が相対的に小さくなり、食物に過剰に熱が加えられ焦げる可能性を低減することができる。このように、本実施形態に係る焼き板組立体２００は、食物が焦げる可能性を低減させるとともに、複数の凹形状の傾斜膜油排出路線８及び複数の凸形状の傾斜膜油排出路線１０によって油及び異物の排出を即座に（タイムリーに）処理することが可能となるという長所を有する。
【００４２】
このように、本実施形態においては、焼き板２の略中央部に油排出口６が設けられ、調理時の油等の液体を即座に排出することが可能となる。ここで、焼き板２の下部には焼き板２を移動させるための移動用金属板３が設けられ、当該金属板３の表面（上面）には、金属板３の略中心を通る溝であって焼き板２を移動させるための溝である凹溝１４が設けられる。金属受け台４の外周には、環状の突出部位である凸状上下環状部１５、１６が形成される。金属受け台４の金属板３に対する移動方向は、前後方向であり、例えば、金属受け台４を後ろ方向に移動させる（すなわち、固定突出部５を介して焼き板２を後ろ方向に移動させる）等の操作により、上部熱源体１００と焼き板２との相対的な位置を調整することができる。従って、必要に応じて熱源を回避することにより食物が焦げる現象を素早く防止することができる。
【００４３】
このように、本実施形態においては、焼き板２に設けられる油排出口６と焼き板２を移動させるための金属板３とにより、食物が焦げる現象を防止することができる。
【００４４】
また、本実施形態においては、焼き板２の回転移動が可能であることにより、焼き板２上の互いに異なる位置に置かれた食物を均一に調理することができるとともに、焼き板２を回転させることによってユーザーの所望の食物を選択することができる。また、焼き板２の外枠縁部には、回転時に焼き板２を支持する役割を果たす複数の金属片１３が設けられる。ユーザーは、箸やトング等によって焼き板２を回転させながら調理された食物を食べることができ、ユーザーの利便性がより一層向上される。
【００４５】
以上、本考案の好ましい一実施形態を挙げて説明したが、本考案はかかる実施形態に限定されるものではなく、多様に変形した実施が可能である。上述した実施形態に既存の公知な技術を単純に組み合わせて適用した実施形態や、本考案の請求の範囲と詳細な説明についての記載から本考案が属する技術分野の当業者が容易に変形して利用できる技術は、本考案の技術範囲に当然含まれると見なすべきである。
【符号の説明】
【００４６】
１    下部ベース部
２    焼き板
３    金属板
４    金属受け台
５    固定突出部
６    油排出口
７    最終油受け
８    凹形状の傾斜膜油排出路線
９    排出口蓋
１０    凸形状の傾斜膜油排出路線
１１    組立板
１２    凸状突出台
１３    金属片
１４    凹溝
１５    凸状上部環状部
１６    凸状下部環状部
【図１】
0003185560.tif 000003
【図２】
0003185560.tif 000004
【図３】
0003185560.tif 000005
【図４】
0003185560.tif 000006
【図５】
0003185560.tif 000007
【図６】
0003185560.tif 000008
【図７】
0003185560.tif 000009